(57)【要約】【課題】  水素ガス生成装置によって大量に生成された水素ガスを利用して、外部からの動力を必要とすることなく水素ガスを流過する水、例えば水道水に混合することを可能にして、水素含有の水、例えば水道水を使用元に必要なとき常時供給できるようにする。【解決手段】  水素ガス生成装置、水素ガスタンク及びアスピレータをユニット構成とし、  当該アスピレータが、管内が細くなった部分を有して形成されたノズル部で水道水流速を増加させ、ベンチュリ効果で水素ガスタンクの圧力以下に低下した圧力を形成し、減圧になった水道水の流れに水素ガスを吸い込み、水素ガスを水道水に混合させ、水素を含有する水道水を形成する。【選択図】  図２
2020040043.tif 000002
【特許請求の範囲】
【請求項１】
所定の水圧に保持された導水管内の導水が分岐され、分岐された導水が各導水使用元に供給される水供給システムにおいて、
水を含む電解液から光触媒を用いて生成された水素ガスと酸素ガスから水素ガスを分離する水素ガス生成装置であって、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、
生成された水素ガスを貯蔵する水素ガスタンクと、
導水管の一部に配置され、駆動源として導水管内水圧が所定の圧力に保持され、流過する導水を用い、管内が細くなった部分を有して形成されたノズル部を有して、ノズル部の周囲に水素ガスタンクからの水素ガス配管が連結され、導水の流れを利用してベンチュリ効果によって減圧状態を作り出すアスピレータと、がユニット構成とされ、
当該アスピレータが、管内が細くなった部分で、形成されたノズル部分で導水流速を増加させ、ベンチュリ効果で水素ガスタンクの圧力以下に低下した圧力を形成し、減圧になった導水の流れに水素ガスを吸い込み、水素ガスを導水に混合させ、水素を含有する水を形成し、
前記ユニットで形成された水素を含有する水が水使用元に供給されること
を特徴とする水供給システム。
【請求項２】
水を含む電解液から光触媒を用いて生成された水素ガスと酸素ガスから水素ガスを分離する水素ガス生成装置であって、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、
生成された水素ガスを貯蔵する水素ガスタンクと、
水素ガスタンクに貯蔵する水素ガスを、所定の水圧に保持された導水管内に導入する水素ガス投入装置と、を備え、導水を分岐し、分岐された導水を各導水使用元に供給される水供給システムによる水供給方法において、
前記導水管の一部に配置され、水素ガス投入の駆動源として導水管内水圧が所定の圧力に保持され、流過する導水を用い、管内が細くなった部分を有して形成されたノズル部を有して、ノズル部の周囲に水素ガスタンクからの水素ガス配管が連結され、導水の流れを利用してベンチュリ効果によって減圧状態を作り出すアスピレータを前記水素ガス投入装置とし、前記水素ガス生成装置、水素ガスタンク及びアスピレータをユニット構成とし、
当該アスピレータが、管内が細くなった部分で、形成されたノズル部分で導水流速を増加させ、ベンチュリ効果で水素ガスタンクの圧力以下に低下した圧力を形成し、減圧になった導水の流れに水素ガスを吸い込み、水素ガスを水道水に混合させ、水素を含有する水道水を形成し、
前記ユニットで形成された水素を含有する水を水道水使用元に供給すること
を特徴とする導水供給システムによる水供給方法。
【請求項３】
所定の水圧に保持された水道管内の水道水が分岐され、分岐された水道水が各水道水使用元に供給される水道水供給システムにおいて、
水を含む電解液から光触媒を用いて生成された水素ガスと酸素ガスから水素ガスを分離する水素ガス生成装置であって、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、
生成された水素ガスを貯蔵する水素ガスタンクと、
水道管の一部に配置され、駆動源として水道管内水圧が所定の圧力に保持され、流過する水道水を用い、管内が細くなった部分を有して形成されたノズル部を有して、ノズル部の周囲に水素ガスタンクからの水素ガス配管が連結され、水道水の流れを利用してベンチュリ効果によって減圧状態を作り出すアスピレータと、がユニット構成とされ、
当該アスピレータが、管内が細くなった部分で、形成されたノズル部分で水道水流速を増加させ、ベンチュリ効果で水素ガスタンクの圧力以下に低下した圧力を形成し、減圧になった水道水の流れに水素ガスを吸い込み、水素ガスを水道水に混合させ、水素を含有する水道水を形成し、
前記ユニットで形成された水素を含有する水道水が水道水使用元に供給されること
を特徴とする水道水供給システム。
【請求項４】
水を含む電解液から光触媒を用いて生成された水素ガスと酸素ガスから水素ガスを分離する水素ガス生成装置であって、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、
生成された水素ガスを貯蔵する水素ガスタンクと、
水素ガスタンクに貯蔵する水素ガスを、所定の水圧に保持された水道管内に導入する水素ガス投入装置と、を備え、水道水を分岐し、分岐された水道水を各水道水使用元に供給される水道水供給システムによる水道水供給方法において、
前記水道管の一部に配置され、水素ガス投入の駆動源として水道管内水圧が所定の圧力に保持され、流過する水道水を用い、管内が細くなった部分を有して形成されたノズル部を有して、ノズル部の周囲に水素ガスタンクからの水素ガス配管が連結され、水道水の流れを利用してベンチュリ効果によって減圧状態を作り出す水圧利用のアスピレータを前記水素ガス投入装置とし、前記水素ガス生成装置、水素ガスタンク及びアスピレータをユニット構成とし、
当該アスピレータが、管内が細くなった部分で、形成されたノズル部分で水道水流速を増加させ、ベンチュリ効果で水素ガスタンクの圧力以下に低下した圧力を形成し、減圧になった水道水の流れに水素ガスを吸い込み、水素ガスを水道水に混合させ、水素を含有する水道水を形成し、
前記ユニットで形成された水素を含有する水道水が水道水使用元に供給すること
を特徴とする水道水供給システムによる水道水供給方法。
【発明の詳細な説明】
【技術分野】
【０００１】
本発明は、水素を含有する水道水の水道水供給システムに関する。
【背景技術】
【０００２】
水を含む電解液から光触媒を用いて水素ガスを生成する水素ガス生成装置が知られている。光触媒を用いて水素ガスを生成するために太陽光を用いることが提案される。このシステムによって大規模に水素ガスを新エネルギーとして確保し、大規模に使用される水源に活用されることが期待される。
【０００３】
特許文献１には、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置が記載される。
【０００４】
特許文献２には、互いに電気的に接続されたカソード及びアノードと、所定の水溶液を含む容器とを具備し、カソード及びアノードは共に水溶液中に浸されており、アノードは、ｐ型半導体及びｎ型半導体からなるｐｎ接合を有する太陽電池のｐ型半導体層の表面に光照射により電子及びせい正孔対を励起する光触媒層が形成された構造を有し、アノードに光エネルギ−が照射されるように構成された水素ガス生成装置が記載される。
【０００５】
光触媒には、ニオブ系窒化物触媒を始めとして各種の光触媒が知られ、現在あっても多くの研究者によって水素ガス発生に用いられる光触媒が研究開発されている。
【０００６】
発生された水素ガスは、水素ガスタンクに収納され、水素ステーションで燃料電池車に供給されることが知られている。このように、水素ガスは、新エネルギーとして活用が期待される。
【先行技術文献】
【特許文献】
【０００７】
【特許文献１】特許第６２１６９６８号公報
【特許文献２】特開２００３−２３８１０４号公報
【発明の概要】
【発明が解決しようとする課題】
【０００８】
特許文献１、２に示さるような水素ガス生成装置によって水素ガスが大量に生成され、貯蔵されると、水素ガスを水道水に混合することで使用元に水素含有の水、例えば水素含有の水道水を供給することができるようになる。水素水の効能については多々知られており、人間の身体に無害であるばかりでなく、植物の育成に大いに寄与することが報告されている。
【０００９】
本発明は。かかる点に鑑み水素ガス生成装置によって大量に生成された水素ガスを利用して、外部からの動力を必要とすることなく水素ガスを流過する水、例えば水道水に混合することを可能にして、水素含有の水、例えば水道水を使用元に必要なとき常時供給できるようにすることを課題とする。
【課題を解決するための手段】
【００１０】
本発明は、所定の水圧に保持された水道管内の水道水が分岐され、分岐された水道水が各水道水使用元に供給される水道水供給システムにおいて、
水を含む電解液から光触媒を用いて生成された水素ガスと酸素ガスから水素ガスを分離する水素ガス生成装置であって、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、
生成された水素ガスを貯蔵する水素ガスタンクと、
水道管の一部に配置され、駆動源として水道管内水圧が所定の圧力に保持された水道水を用い、管内が細くなった部分で形成されたノズル部分を有して、ノズル部分の周囲に水素ガスタンクからの水素ガス配管が連結され、水道水の流れを利用してベンチュリ効果によって減圧状態を作り出す水圧利用のアスピレータと、がユニット構成とされ、
当該アスピレータが、管内が細くなった部分で、形成されたノズル部分で水道水流速を増し、ベンチュリ効果で水素ガスタンクの圧力以下に低下した圧力を形成し、減圧になった水道水の流れに水素ガスを吸い込み、水素ガスを水道水に混合させ、水素を含有する水道水を形成し、
形成された水素を含有する水道水が水道水使用元に供給されること
を特徴とする水素を含有する水道水の水道水供給システムを提供する。
【００１１】
また、本発明は
水を含む電解液から光触媒を用いて生成された水素ガスと酸素ガスから水素ガスを分離する水素ガス生成装置であって、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、
生成された水素ガスを貯蔵する水素ガスタンクと、
水素ガスタンクに貯蔵する水素ガスを、所定の水圧に保持された水道管内に導入する水素ガス水道管内導入装置と、を備え、水道水を分岐し、分岐された水道水を各水道水使用元に供給される水道水供給システムによる水素を含有する水道水の供給方法において、
前記水素ガス生成装置、水素ガスタンク及び前記水道管の一部に配置され、駆動源として水道管内水圧が所定の圧力に保持された水道水を用い、管内が細くなった部分で形成されたノズル部分を有して、ノズル部分の周囲に水素ガスタンクからの水素ガス配管が連結され、水道水の流れを利用してベンチュリ効果によって減圧状態を作り出す水圧利用のアスピレータとをユニット構成とし、
当該アスピレータが、管内が細くなった部分で、形成されたノズル部分で水道水流速を増し、ベンチュリ効果で水素ガスタンクの圧力以下に低下した圧力を形成し、減圧になった水道水の流れに水素ガスを吸い込み、水素ガスを水道水に混合させ、水素を含有する水道水を形成し、
形成された水素を含有する水道水が水道水使用元に供給すること
を特徴とする水道水供給システムによる水素を含有する水道水の供給方法を提供する。
【発明の効果】
【００１２】
本発明によれば、水素ガス生成装置と水素ガスタンクとアスピレータとをユニット構成することで、水、例えば水道水使用元の近傍で水素ガスを生成し、直ちに生成された水素ガスを、生成した水素ガスの漏洩を少なくされた水、例えば水道水として使用することができる。そして、ユニット構成にアスピレータを用いることで、水、例えば水道水が備える水圧を利用することで水素ガスを水、例えば水道水に混合することができる。
【００１３】
これによって、光触媒を用いた水素ガス生成装置によって大量に生成された水素ガスを利用して、外部からの動力を必要とすることなく水素ガスを水、例えば水道水に混合することを可能にして、水素含有の水、例えば水道水を使用元に必要なとき常時供給できるようにすることができる。
【図面の簡単な説明】
【００１４】
【図１】本発明のコンセプトを説明する図
【図２】本発明の実施例である水道水供給システムの構成を示す図
【発明を実施するための形態】
【００１５】
以下、本発明の実施例を図面に基づいて説明する。
【００１６】
図１は、本発明のコンセプトを説明する図である。
【００１７】
図１において、本発明の水供給システム１００は、水素ガス生成装置１、水素ガスタンク２及び水素ガス投入装置３がユニット化構成４とされる。
【００１８】
水素ガス生成装置１には、光触媒１１が用いられ、光触媒を用いて水素ガスを生成するために太陽光が用いられる。
【００１９】
水素ガスタンク２は、水素ガスに耐用のある鋼材が用いられた球状容器が用いられる。
【００２０】
水供給システム１００は、所定の水圧に保持された導水管内の導水が分岐され、分岐された導水が各導水使用元に供給されるシステムに適用される。当該システムは、導水管１２の一部に水素ガス投入装置３が設けられる。
【００２１】
導水管１２の上流側が上流側導水管１２A,下流側が下流側導水管１２Bとなる。
【００２２】
水素ガス投入装置３は、上流側導水管１２A及び下流側導水管１２Bに連結部１４でそれぞれ連結される連結管１３を備える。
【００２３】
水素ガス生成装置１と水素ガスタンク２及び水素ガスタンク２と水素ガス投入装置３は、それぞれ配管１５、１６で結ばれ、各配管にはコントロール弁１７、１８が設けられ、水素ガスの流れが制御される。
【００２４】
導水管１２には、導水管内水圧が所定の圧力に保持され、流過する導水１９が用いられ、当該導水が水素水投入の駆動源となる。
【００２５】
これによって、所定の水圧に保持された導水管内の導水が分岐され、分岐された導水が各導水使用元に供給される水供給システムにおいて、
水を含む電解液から光触媒を用いて生成された水素ガスと酸素ガスから水素ガスを分離する水素ガス生成装置１と、生成された水素ガスを貯蔵する水素ガスタンク２と、  導水を駆動源として水素ガスを導水管に投入する水素ガス投入装置３からユニット化構成４が形成され、導水の流れに水素ガスを吸い込み、水素ガスを導水に混合させ、水素を含有する水を形成することが可能になった。
【００２６】
ユニット化構成とすることで、水、例えば水道水使用元の近傍で水素ガスを生成し、水素含有の水、例えば水道水を使用元に必要なとき常時供給できる。水道水使用元としては、建物内の水道水使用元があり、この場合には、建物の屋上にユニット化構成４を設置することができる。
【００２７】
水道水使用元としては、建物以外に乗り物、農場・漁港などがある。
【００２８】
図２は、本発明の実施例になる水道水供給システム１００の構成を示す図である。
【００２９】
図１に示された構成については同一の数値が付与されている。また、図２では、水素ガス投入装置３をアスピレータ３とした。これは、水素ガス投入装置３の一例通してアスピレータ３が使用されることによる。また、水素生成装置１が設置される建物を２０とし、ユニット化構成４１が建物を２０の屋上に設置されることを示した。また、導水管内水圧が所定の圧力に保持され、流過する導水１９の一例として、水道水１９が用いられることを示した。この場合、水道水が水素ガス投入のための駆動源となる。
【００３０】
水を含む電解液から光触媒を用いて生成された水素ガスと酸素ガスから水素ガスを分離する水素ガス生成装置１は、
第１電極３１と、
電解液と第１電極３１を収容する第１室３３を形成する第１室形成部と、
第２電極と、
電解液と第２電極３２を収納する第２室３４を形成する第２形成部と、
第１室３３と第２室３４の間を仕切り、酸素ガスから水素ガスを分離する分離膜３５と、
第１の電極３１と第２の電極３２を結ぶ直流電源３６と、
から構成される。
【００３１】
直流電源３６は、２つの電極３１、３２の間にバイアス電圧を印加する。第１電極３１には、直流電源３６の負極が接続され、第２電極３２には、直流電源３６の正極が接続される。
【００３２】
電解液供給装置４０は、第１室３３及び第２室３４の２つの室に、水を含む電解液を供給する。電解液供給装置４０は、第１供給路４１を介して第１室３３に接続され、第２供給路４２を介して第２室３４に接続される。
【００３３】
水を含む電解液としては、プロトン（H＋）の伝導を許容するNaSO４の水溶液が用いられる。他の水溶液が用いられてもよい。
【００３４】
分離膜３５は、ガスの通過を制限する膜であり、第１電極３１で生成された水素ガスが第２電極３２に移動することと、第２電極３２で生成された酸素ガスが第１電極３１に移動することを制限する。
【００３５】
これにより生成された水素ガスと酸素ガスとが分離される。
【００３６】
第２電極３２に生じた電子は、直流電源３６に移動し、直流電源３６から第１電極３１へ電子が供給される。プロトンは、分離膜３５を通り抜けて、第１電極３１に移動する。
【００３７】
第１電極３１に移動したプロトンは、第１電極３１で電子と結合して水素ガスを生成する。生成された水素ガスは、第１ガス流路４３から排出され、配管１５から水素タンク２に導かれて貯蔵される。
【００３８】
酸素ガスは、第２室３４に接続された第２ガス流路４４から排出され、図示しない酸素タンクに貯蔵される。
【００３９】
このような構成になる水素ガス生成装置１は、公知であり、これ以上の説明は必要とされない。
【００４０】
水素ガス投入装置としてアスピレータが用いられる。アスピレータと同一原理になって、減圧を作り出す装置としてエジェクターが知られる。
【００４１】
アスピレータ３は、その上流側に上流水道管１２Aが、そして下流側に下流水道管１２Bが接続される。水道水は、所定の水圧に保持される。通常水道水の水圧は、２〜４ｋｇｆ/ｃｍ２に保たれる。これ以上に昇圧される場合もある。このように水道水は、駆動源としての圧力を備える。
【００４２】
アスピレータ３は、ノズル部５１とデイフユーザ５２からなる。ノズル部５１は、ノズル部分５３とボデイ部分５４からなる。ズル部５１は、管内が細くなった部分を有して形成される。水道水１９は、ノズル部分で高速化される。これに伴って、水素ガスタンク内圧力よりも減圧された減圧部をノズル部分周囲に形成する。デイフユーザ５２は、ノズル５１からの水道水１９Aの高速噴射部５５を形成する。水１９Aの高速噴射部は、吸引部５６及び圧縮・昇圧部５７からなり、吸引部５６は、減圧部をノズル部分周囲に形成し、水素ガスを吸引する。吸引部５６及び圧縮・昇圧部５７は水素ガスの水道水への混合部５８を形成し、徐々に水道水水圧を昇圧する。
【００４３】
水圧を利用したアスピレータの構造は、公知である。
【００４４】
本実施例は、水圧を利用したアスピレータ３を用いて、水道水の持つ水圧を活用して水素ガス投入のための駆動源とし、水素ガスの水道水への混合を行う。
【００４５】
アスピレータ３から吐出５９された水素ガス含有の水道水６０が分岐され、水道水使用元６１に供給される。
【００４６】
以上のように、水道水供給システムが、
水を含む電解液から光触媒を用いて生成された水素ガスと酸素ガスから水素ガスを分離する水素ガス生成装置１、水素ガスタンク２及びアスピレータ３からなるユニット化構成４を形成する。
【００４７】
水素ガス生成装置１は、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、から構成される。
【００４８】
水素ガス生成装置で生成された水素ガスは、水素ガスタンク２に貯蔵される。
【００４９】
水素ガス生成装置１、水素ガスタンク２及び水素ガス投入装置３からなるユニット化構成に、水素ガス投入装置３として、水道管の一部に配置され、駆動源として水道管内水圧が所定の圧力に保持され、流過する水道水を用い、管内が細くなった部分を有して形成されたノズル部を有して、ノズル部の周囲に水素ガスタンクからの水素ガス配管が連結され、水道水の流れを利用してベンチュリ効果によって減圧状態を作り出す水圧利用のアスピレータが採用される。
【００５０】
当該アスピレータが、管内が細くなった部分を有して形成されたノズル部で水道水流速を増加させ、ベンチュリ効果で水素ガスタンクの圧力以下に低下した圧力を形成し、減圧になった水道水の流れに水素ガスを吸い込み、水素ガスを水道水に混合させ、水素を含有する水道水を形成する。
【００５１】
前記ユニットで形成された水素を含有する水道水が水道水使用元に供給される水道水供給システムが構成される。
【００５２】
また、図１及び図２に示される構造から、
水を含む電解液から光触媒を用いて生成された水素ガスと酸素ガスから水素ガスを分離する水素ガス生成装置であって、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、
生成された水素ガスを貯蔵する水素ガスタンクと、
導水管の一部に配置され、駆動源として導水管内水圧が所定の圧力に保持され、流過する導水を用い、管内が細くなった部分で形成されたノズル部を有して、ノズル部の周囲に水素ガスタンクからの水素ガス配管が連結され、導水の流れを利用してベンチュリ効果によって減圧状態を作り出す水圧利用のアスピレータと、がユニット構成とされ、
当該アスピレータが、管内が細くなった部分で、形成されたノズル部分で導水流速を増加させ、ベンチュリ効果で水素ガスタンクの圧力以下に低下した圧力を形成し、減圧になった導水の流れに水素ガスを吸い込み、水素ガスを導水に混合させ、水素を含有する水を形成し、
前記ユニットで形成された水素を含有する水が水使用元に供給されること
を特徴とする水供給システムが提供される。
【符号の説明】
【００５３】
１００…水供給システム、水道水供給システム、１…水素ガス生成装置、２…水素ガスタンク、３…水素ガス投入装置、アスピレータ、４…ユニット化構成、１１…光触媒、１２…導水管、１２A…上流側導水管、１２B…下流側導水管、１３…連結管、１５、１６…配管、１７，１８…コントロール弁、１９…水道水、５０…建物、６０…水素を含有する水道水、６１…水使用元、水道水使用元。
【図１】
2020040043.tif 000003
【図２】
2020040043.tif 000004
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
所定の水圧に保持された水道水の導管内の水道水が分岐され、分岐された水道水が各水道水使用元に供給される水道水供給システムにおいて、
水を含む電解液から光触媒を用いて生成された水素ガスと酸素ガスから水素ガスを分離する水素ガス生成装置であって、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、
生成された水素ガスを貯蔵する水素ガスタンクと、
水道水の導管の一部に配置され、駆動源として水道水の導管内水圧が所定の圧力に保持され、流過する水道水を用い、管内が細くなった部分を有して形成されたノズル部を有して、ノズル部の周囲に水素ガスタンクからの水素ガス配管が連結され、水道水の流れを利用してベンチュリ効果によって減圧状態を作り出すアスピレータと、がユニット構成とされ、
当該アスピレータが、管内が細くなった部分で、形成されたノズル部分で水道水流速を増加させ、ベンチュリ効果で水素ガスタンクの圧力以下に低下した圧力を形成し、減圧になった水道水の流れに水素ガスを吸い込み、水素ガスを水道水に混合させ、水素を含有する水道水を形成し、
前記ユニットで形成された水素を含有する水道水が水道水使用元に供給されること
を特徴とする水道水供給システム。
【請求項２】
水を含む電解液から光触媒を用いて生成された水素ガスと酸素ガスから水素ガスを分離する水素ガス生成装置であって、
第１電極と、
電解液と前記第１電極を収容する第１室を形成する第１室形成部と、
第２電極と、
電解液と前記第２電極を収納する第２室を形成する第２形成部と、
第１室と第２室との間を仕切り、酸素ガスから水素ガスを分離する分離膜と、
第１の電極と第２の電極を結ぶ直流電源と、を有する水素ガス生成装置と、
生成された水素ガスを貯蔵する水素ガスタンクと、
水素ガスタンクに貯蔵する水素ガスを、所定の水圧に保持された水道水の導管内に導入する水素ガス投入装置と、を備え、水道水を分岐し、分岐された水道水を各水道水使用元に供給される水道水供給システムによる水道水供給方法において、
水道水の導管の一部に配置され、水素ガス投入の駆動源として水道水の導管内水圧が所定の圧力に保持され、流過する水道水を用い、管内が細くなった部分を有して形成されたノズル部を有して、ノズル部の周囲に水素ガスタンクからの水素ガス配管が連結され、水道水の流れを利用してベンチュリ効果によって減圧状態を作り出す水圧利用のアスピレータを前記水素ガス投入装置とし、前記水素ガス生成装置、水素ガスタンク及びアスピレータをユニット構成とし、
当該アスピレータが、管内が細くなった部分で、形成されたノズル部分で水道水流速を増加させ、ベンチュリ効果で水素ガスタンクの圧力以下に低下した圧力を形成し、減圧になった水道水の流れに水素ガスを吸い込み、水素ガスを水道水に混合させ、水素を含有する水道水を形成し、
前記ユニットで形成された水素を含有する水道水が水道水使用元に供給すること
を特徴とする水道水供給システムによる水道水供給方法。